(57)【特許請求の範囲】
【請求項１】
つぎの事項（１）〜（10）により特定される平面ディスプレイの支持機構。
（１）平面ディスプレイがヒンジ部を介して基台に支持された機構であること
（２）ヒンジ部の回動軸は水平であり、この軸を中心にして平面ディスプレイが回動可能であること
（３）平面ディスプレイの回動範囲の一方の限界は、平面ディスプレイがほぼ水平姿勢で基台上に伏した位置であること
（４）平面ディスプレイの回動範囲の他方の限界は、水平姿勢から垂直に起立する姿勢を越え、１２０度より大きな所定角度の上向き位置であること
（５）ヒンジ部は、平面ディスプレイの回動範囲においてほぼ均一な静止摩擦力を発生すること
（６）静止摩擦力は、平面ディスプレイの開き角度がおおよそ４５〜１２０度の範囲においては、平面ディスプレイを重力トルクに抗して静止させること
（７）ヒンジ部は捩りコイルスプリングを有し、当該スプリングの一端部が基台側に固定され、他端部が平面ディスプレイの側面に形成された回動軸を中心とする円弧状長穴に遊嵌していること
（８）捩りコイルスプリングは、平面ディスプレイの開き角度がおおよそ４５〜１２０度の範囲においては自由状態にあること
（９）捩りコイルスプリングは、平面ディスプレイの開き角度がおおよそ４５度以下になると、平面ディスプレイに重力トルクと逆向きのバネ力を作用させること
（10）捩りコイルスプリングは、平面ディスプレイの開き角度がおおよそ１２０度以上になると、平面ディスプレイに重力トルクと逆向きのバネ力を作用させること
【発明の詳細な説明】
【０００１】
【発明の属する技術分野】
この発明は、ノート型のパーソナルコンピュータやワードプロセッサなどに使用されるＬＣＤなどの平面ディスプレイの支持機構に関する。
【０００２】
【従来の技術】
ノート型パーソナルコンピュータやワードプロセッサは、ディスプレイとして、１０インチ程度の開閉型液晶ディスプレイを用いている。従来、このようなディスプレイのヒンジ機構部は、意図的に摩擦抵抗が大きくなるように構成されており、この摩擦力を用いてディスプレイを任意の角度に停止させるようになっていた。
【０００３】
【発明が解決しようとする課題】
しかし、上記従来の摩擦力で停止させる機構では、ディスプレイの角度に拘らず発生できる摩擦力は同じであるため、ディスプレイ面がほぼ水平を向いている（ディスプレイが立っている）状態ではヒンジ機構部に掛かるモーメントよりも摩擦力のほうが大きくディスプレイを停止させることができるが、ディスプレイが開きすぎて仰向けになりそうになっている場合や殆ど閉じている状態ではヒンジ機構部に掛かるモーメントが大きくなるため上記摩擦力のみではこのディスプレイを支えきれなくなり、ディスプレイをこのような角度で停止させることができないうえ、開きすぎや閉じすぎを停止させることができず、ディスプレイが寝るまで回動してしまうという欠点があった。
【０００４】
また、ディスプレイが閉じている状態から開くときには、何の補助力も働いていないため、利用者はディスプレイの重量およびヒンジ機構部の摩擦抵抗に対抗して全く自力でこれを開かなければならず、重いという問題点があった。
【０００５】
この発明は、液晶ディスプレイなどの平面ディスプレイを任意の角度で停止でき、且つ、開閉性を向上した平面ディスプレイの支持機構を提供することを目的とする。
【０００６】
【課題を解決するための手段】
この発明に係る平面ディスプレイの支持機構は、つぎの事項（１）〜（10）により特定されるものである。
（１）平面ディスプレイがヒンジ部を介して基台に支持された機構であること
（２）ヒンジ部の回動軸は水平であり、この軸を中心にして平面ディスプレイが回動可能であること
（３）平面ディスプレイの回動範囲の一方の限界は、平面ディスプレイがほぼ水平姿勢で基台上に伏した位置であること
（４）平面ディスプレイの回動範囲の他方の限界は、水平姿勢から垂直に起立する姿勢を越え、１２０度より大きな所定角度の上向き位置であること
（５）ヒンジ部は、平面ディスプレイの回動範囲においてほぼ均一な静止摩擦力を発生すること
（６）静止摩擦力は、平面ディスプレイの開き角度がおおよそ４５〜１２０度の範囲においては、平面ディスプレイを重力トルクに抗して静止させること
（７）ヒンジ部は捩りコイルスプリングを有し、当該スプリングの一端部が基台側に固定され、他端部が平面ディスプレイの側面に形成された回動軸を中心とする円弧状長穴に遊嵌していること
（８）捩りコイルスプリングは、平面ディスプレイの開き角度がおおよそ４５〜１２０度の範囲においては自由状態にあること
（９）捩りコイルスプリングは、平面ディスプレイの開き角度がおおよそ４５度以下になると、平面ディスプレイに重力トルクと逆向きのバネ力を作用させること
（10）捩りコイルスプリングは、平面ディスプレイの開き角度がおおよそ１２０度以上になると、平面ディスプレイに重力トルクと逆向きのバネ力を作用させること
【０００７】
この発明では、弾性体の弾性力で平面ディスプレイを支持する。また、従来の摩擦力を利用した支持機構と併用して、開きすぎ・閉じ過ぎのときこれをくい止める補助力としてこの弾性力を使用してもよい。平面ディスプレイ側面に設けられる円弧状の長穴は、この平面ディスプレイの回動軸を中心としており、弾性体の端部が挿入されている。平面ディスプレイが閉じられまたは開かれると弾性体は長穴の回動によって変形させられ、この回動と反対方向に付勢力を発生する。この付勢力が平面ディスプレイの開き過ぎまたは閉じ過ぎをくい止める力として働き、閉じている平面ディスプレイを開くときの補助力としても働く。そして、標準的な開角（平面ディスプレイがほぼ直立し、ディスプレイ面がほぼ水平を向いている状態）のとき、弾性体の端部は長穴に対して遊嵌状態になるため付勢力が働かず、平面ディスプレイをこの円弧状の長穴の範囲（標準的な開角の範囲）で自由に固定することができる。
【０００８】
【発明の実施の形態】
図面を参照してこの発明を適用した可搬型通信カラオケ装置について説明する。図１〜図６は同可搬型通信カラオケ装置の外観図である。図１は正面図、図２は右側面図、図３は背面図、図４は平面図である。また、図５は背面図でカバーを取り除いた状態を示す図、図６は液晶ディスプレイを開いた状態の平面図を示している。
【０００９】
この可搬型通信カラオケ装置は、シェル形のボディ１０の内部に装置本体（コントローラ）２，アンプ３，スピーカ４をはじめカラオケ演奏に必要な全ての機器を収納しているとともに、ボディ１０上面のトップパネルにディスプレイ５およびコントロールパネル６を有している。ディスプレイ５は液晶マトリクスのカラー表示器である。このように、このカラオケ装置は、カラオケ演奏に必要な全ての機器を一体化した装置である。
【００１０】
装置正面には、ステレオのメインスピーカ４および曲番号などを表示するためのＬＥＤ７セグメント表示器１９が設けられている。
【００１１】
装置底面には４個の大型キャスタ１１が設けられている。また、装置背面には把手１２，フットステップ１３が設けられており、把手１２を引きまたは押すことにより、あるいは、フットステップ１３を足で押すことによってこのカラオケ装置を移動させることができる。また、装置背面にはポケット１４が設けられており、マイクや目次本を収納することができる。
【００１２】
コントロールパネル６には、キースイッチ群２０，調節ボリューム群２１およびリモコン収納部２２が形成されている。キースイッチ群２０は、曲番号を入力するテンキー，メモリセットスイッチ，演奏をスタート／ストップするスタート／ストップスイッチ，キーチェンジスイッチ，テンポチェンジスイッチなどを含んでいる。調節ボリューム群２１は、モニタスピーカ２３の音量を調節するモニタ音量ボリューム，マイクから入力される音声信号の音量を調節するマイク音量ボリューム，エコーの調節するエコーコントロールボリュームなどを含んでいる。これらキースイッチ群２０，調節ボリューム群２１は内部に収納されている装置本体２，コントロールアンプ３に接続されている。また、リモコン収納部１４はリモコン５３の形状をした凹部であり、図７に示すリモコンが収納される。
【００１３】
ディスプレイ５にはＬＣＤマトリクスのディスプレイ本体のほかモニタスピーカ２３が設けられている。このモニタスピーカ２３は、メインスピーカ４が装置正面に聴衆に向けて設けられているため、カラオケ歌唱者にカラオケ演奏音を聴かせるために設置されたものである。なお、正面のメインスピーカ４からは伴奏音と歌唱音声が出力され、モニタスピーカ２３からは伴奏音，カラオケ歌唱音声に加えてガイドメロディ音が出力される。これにより、歌い手はガイドメロディによって歌いやすくなり、聞き手にはガイドメロディがないためカラオケ歌唱が上手く聞こえるというメリットがある。
【００１４】
ディスプレイ５はヒンジ部２５によってコントロールパネル６上で回動自在に支持されている。ヒンジ部２５は、図８に示すような構造になっており、コイルスプリング６０を回動軸を中心に横向きに設け、このコイルスプリング６０の一端をコントロールパネル側に固定し、他端Ｐをディスプレイ５の側面に形成された長穴６１に挿入している。コイルスプリング６０の他端Ｐは力が加わらない状態ではコイル上端部に停止している。また、長穴６１は回動軸を中心とする７５度の円弧状に開設されており、ディスプレイ５の開角が閉じた状態から４５度〜１２０度の範囲で前記コイルスプリング６０の他端Ｐが当接しない状態で挿入される。ディスプレイ５を閉じると、コイルスプリング６０が長穴６１の後端６１ａに当接して捩じられ開く方向に付勢力が発生する。これによって、ディスプレイ５の重量が相殺されて軽く開くことができる。なお、ディスプレイ５の上端部にはフック２６が設けられており、完全に閉じた状態ではこのフック２６を外さなければ開かないようになっている。また、ディスプレイ５を１２０度以上に開くと、コイルスプリング６０が長穴６１の前端６１ｂに当接して捩じられ閉じる方向に付勢力が発生する。これによって、ディスプレイ５が開きすぎることがなくなる。また、図４に示すように、ディスプレイ５を閉じると、コントロールパネル６の蓋の機能をしている。移動中はディスプレイ５を閉じることにより、ＬＣＤマトリクス表示器本体のほかコントロールパネルのキースイッチ群２０，調節ボリューム群２１を保護することができ、さらに、振動や転倒によるリモコン５３の落下を防止することができる。
【００１５】
なお、このヒンジ機構は、この実施形態の可搬型カラオケ装置のみならず、ノートパソコン，ワープロや液晶テレビなどにも用いることができる。
【００１６】
また、図９に示すように、このディスプレイ５およびコントロールパネル６を含むトップパネルは水平に３６０度の範囲で回転可能になっている。すなわち、図６に示す位置から時計回りに１８０度，反時計回りに１８０度の範囲で回転可能である。これにより、歌唱者は任意の位置にディスプレイ５を向けて歌うことができる。たとえば、ディスプレイ５を正面方向に向けて聞き手と一緒に歌うこともできる。
【００１７】
把手１２の左右両端部にはマイクホルダ１５が取り付けられている。マイクホルダ１５はマイク（図示せず）の首元を係止する円弧状のホルダ部とこの円弧の中心軸に並行でかつ円弧の外側に位置するリング部からなり、このリング部が把手１２に嵌合し、図１０（Ａ）に示すように、このリング部を中心として回転可能にされている。カラオケ装置使用時には、マイクホルダ１５を図６に示す位置に回転させてマイクを係止し、移動時には、マイクホルダ１５を１８０度回転させて、円弧状のホルダ部を反転して、把手１２の内側に入れた状態で移動させる。これにより、このマイクホルダ１５が移動中の衝突や転倒によって壊れることがない。このとき、マイクは反転したマイクホルダ１５に係止しておいてもよく、背面部のポケット１４に収納しておいてもよい。また、マイクホルダ１５は、図６および図１０（Ａ）に示すもののほか、図１０（Ｂ）に示すように縦棒に取り付けられ、横回転するように構成してもよい。
【００１８】
図５は図３に示すカラオケ装置の背面からカバー１０ａ，１０ｂを取り除いて内部の機器を露出させた状態を示している。装置本体２，コントロールアンプ３などの機器は、ボディ１０内に設けられた木製のラック６５に収納されている。ラック６５の機器の４隅が当接する面には、図１１に示すように、防振材６６が固定されている。防振材６６は、不織布やナイロン布などからなる表面材６６ａと発泡性シリコンなどのクッション材６６ｂで構成されている。この防振材６６は厚みの５倍程度の距離の間隔でタッカーによってラック６５に固定され波形に整形されている。これにより、表面材６６ａの滑り性によって、機器の収納，取り出し時は滑らかに滑り、機器を収納・固定したのちは、波形に整形されたクッション材６６ｂのクッション性によって隙間ができず、高い防振性を得ることができる。なお、カバー１０ａにはマイク接続用のジャックを露出するための開口部が形成されており、カバー１０ｂには電話線接続用のモジュラジャックを露出するための切欠部が形成されている。
【００１９】
また、シェル形のボディ１０は複数の樹脂板の組み合わせで構成され、各樹脂板は前記木製のラック６５にネジ止め固定されている。各樹脂板は突き合わせ接合によって面一に接合されているが、図１２に示すように、ネジ止め部を少なくするため、各樹脂板７０，７１の端部の接合縁の裏側に他方へ張り出す補助樹脂板７０ａ，７１ａを接着または溶着し、これで２枚を組み合わせたとき、係合して外れないようした。これにより、ネジ止め箇所が半分になり、作業性が良くなるとともに、ネジの露出が少なくなって外観が良くなる。また、ネジ止めするためには、その位置に木部（ラック）６５がなければならないが、ネジ止め部が多いとそれだけボディ１０の形状やパーツ（樹脂板）への切り分けに制約が多くなる。この可搬型カラオケ装置では、上記のようにネジ止め箇所を少なくしたことにより、ボディ形状やパーツへの切り分けの自由度が高くなる。
【００２０】
図１３は同可搬型カラオケ装置の各機器の接続を示すブロック図である。装置本体２において、装置全体の動作を制御するＣＰＵ３０には、バスを介してＲＯＭ３１，ＲＡＭ３２，ハードディスク記憶装置（ＨＤＤ）３７，操作パネル３４，操作インタフェース３５，通信制御部３６，音源装置３８，音声データ処理部３９，インタフェース４０，文字表示部４５および表示制御部４６が接続されている。操作インタフェース３５には、コントロールパネル６およびリモコン受信部３３が接続され、インタフェース４０には、コントロールアンプ３が接続されている。また、コントロールパネル６はインタフェース３ｂを介してコントロールアンプ３にも接続されている。
【００２１】
ＲＯＭ３１にはこの装置を起動するために必要な起動プログラムなどが記憶されている。この装置の動作を制御するシステムプログラム，アプリケーションプログラムなどはＨＤＤ３７に記憶されており、装置の電源がオンされると上記起動プログラムによってＲＡＭ３２に読み込まれる。ＲＡＭ３２には、該プログラム記憶エリアのほかカラオケ演奏を実行する楽曲データを読み込む実行データ記憶エリアなどが設けられている。また、ＨＤＤ３７は、１ＧＢの記憶容量を有し、３０００〜４０００曲分の楽曲データおよび静止画データを記憶している。通信制御部３６はモデムを含み電話回線を介したセンタとの交信を制御する。通信制御部３６にはモジュラジャック３６ａが接続されている。
【００２２】
音源装置３８は、楽曲データの楽音トラックのデータに基づいて楽音信号を形成する。楽曲データはカラオケ演奏時にＣＰＵ１０によって読み出される。楽音トラックは図１４に示すように演奏トラック，ガイドメロディトラックを含む複数トラックで構成されており、音源装置３８はこのデータに基づいて複数パートの伴奏音およびガイドメロディ音からなる楽音信号を並行して形成する。音声データ処理部３９は、楽曲データに含まれる音声データに基づき、指定された長さ，指定された音高の音声信号を形成する。音声データは、バックコーラスなどの音源装置３８で電子的に発生しにくい信号波形をそのままＡＤＰＣＭデータ化して記憶したものである。
【００２３】
音源装置３８が形成した楽音信号および音声データ処理部３９が形成した音声信号はコントロールアンプ３に入力される。コントロールアンプ３にはカラオケ歌唱用のマイク５０，５１が接続されており、これらマイク５０，５１からカラオケ歌唱の音声信号も入力される。コントロールアンプ３はこれらの信号を指示されたゲインで増幅するとともに各信号にリバーブやエコーなどの効果を付与する。伴奏音，ガイドメロディ音，マイク音および全体のゲイン（音量）はコントロールパネル６の操作またはリモコン受信部３３を介したリモコン５３の操作によって指示される。コントロールアンプ３はミキシング部３ａを備えている。ミキシング部３ａは、増幅および効果を付与された伴奏音，マイク音（歌唱音声信号）をメインアンプ４１に出力するとともに、伴奏音，ガイドメロディ音，マイク音をモニタアンプ４２に出力する。メインアンプ４１は入力された信号を電力増幅してメインスピーカ４を駆動し、モニタアンプ４２は入力された信号を電力増幅してモニタスピーカ２３を駆動する。
【００２４】
文字表示部４３は、カラオケ演奏時に、楽曲データから読み出された文字データに基づいて、曲名や歌詞などの文字パターンを生成する。この文字パターンは表示制御部４６に入力される。表示制御部４６は、ＨＤＤ３７から読み出される静止画データとこの文字パターンを合成しＬＥＤディスプレイ５に出力する。
【００２５】
なお、リモコン５３は、前記コントロールパネル６のキースイッチ群２０とほぼ同様のキースイッチを備えている。操作パネル３４はこの装置（コントローラ２）がラック６５（ボディ１０）から取り出され直接操作されるとき使用されるものであり、ＬＥＤのディスプレイやキースイッチ群，調節ボリューム群などを含んでいる。
【００２６】
次に、図１４〜図１６を参照して同カラオケ装置においてカラオケ演奏に用いられる楽曲データの構成について説明する。図１４は楽曲データの構成を示す図である。また、図１５，図１６は楽曲データの詳細な構成を示す図である。
【００２７】
図１４において、楽曲データは、ヘッダ，楽音トラック，ガイドメロディトラック，歌詞トラック，音声トラック，効果トラックおよび音声データ部からなっている。ヘッダは、この楽曲データに関する種々のデータが書き込まれる部分であり、曲名，ジャンル，発売日，曲の演奏時間（長さ）などのデータが書き込まれている。
【００２８】
楽音トラック〜効果トラックの各トラックは図１５，図１６に示すように複数のイベントデータと各イベントデータ間の時間間隔を示すデュレーションデータΔｔからなるシーケンスデータで構成されている。ＣＰＵ３０は、カラオケ演奏時にシーケンスプログラムに基づき全トラックのデータを並行して読み出す。シーケンスプログラムは、所定のテンポクロックでΔｔをカウントし、Δｔをカウントアップしたときこれに続くイベントデータを読み出し、所定の処理部へ出力するプログラムである。
【００２９】
楽音トラックには、メロディトラック，リズムトラックを初めとして種々のパートのトラックが形成されている。また、ガイドメロディトラックには、このカラオケ曲の旋律すなわち歌唱者が歌うべき旋律のシーケンスデータが書き込まれている。ＣＰＵ３０はこれらのデータを順次音源装置３８に入力することによって伴奏音およびガイドメロディ音を形成させる。
【００３０】
歌詞トラックは、ディスプレイ５に歌詞を表示するためのシーケンスデータを記憶したトラックである。このシーケンスデータは楽音データではないが、インプリメンテーションの統一をとり、作業工程を容易にするためこのトラックもＭＩＤＩデータ形式で記述されている。データ種類は、システム・エクスクルーシブ・メッセージである。歌詞トラックのデータ記述において、通常は１行の歌詞を１つの歌詞表示データとして扱っている。歌詞表示データは１行の歌詞の文字データ（文字コードおよびその文字の表示座標）、この歌詞の表示時間（通常は３０秒前後）、および、ワイプシーケンスデータからなっている。ワイプシーケンスデータとは、曲の進行に合わせて歌詞の表示色を変更してゆくためのシーケンスデータであり、表示色を変更するタイミング（この歌詞が表示されてからの時間）と変更位置（座標）が１行分の長さにわたって順次記録されているデータである。
【００３１】
音声トラックは、音声データ部に記憶されている音声データｎ（ｎ＝１，２，３，‥‥）の発生タイミングなどを指定するシーケンストラックである。音声データ部には、音源装置３８で合成しにくいバックコーラスやハーモニー歌唱などの人声が記憶されている。音声トラックには、音声指定データと、音声指定データの読み出し間隔、すなわち、音声データを音声データ処理部３９に出力して音声信号形成するタイミングを指定するデュレーションデータΔｔが書き込まれている。音声指定データは、音声データ番号，音程データおよび音量データからなっている。音声データ番号は、音声データ部に記録されている各音声データの識別番号ｎである。音程データ，音量データは、形成すべき音声データの音程や音量を指示するデータである。すなわち、言葉を伴わない「アー」や「ワワワワッ」などのバックコーラスは、音程や音量を変化させれば何度も利用できるため、基本的な音程，音量で１つ記憶しておき、このデータに基づいて音程や音量をシフトして繰り返し使用する。音声データ処理部３９は音量データに基づいて出力レベルを設定し、音程データに基づいて音声データの読出間隔を変えることによって音声信号の音程を設定する。
【００３２】
効果トラックには、効果用ＤＳＰ４０を制御するためのＤＳＰコントロールデータが書き込まれている。効果用ＤＳＰ４０は音源装置３８，音声データ処理部３９から入力される信号に対してリバーブなどの残響系の効果を付与する。ＤＳＰコントロールデータは、このような効果の種類を指定するデータおよびその変化量データなどからなっている。
【００３３】
図１７は新曲のダウンロード動作を示すフローチャートである。この可搬型カラオケ装置は、通常はオフラインになっているため、センタからのアクセスによって新曲のダウンロードを受けることができない。そこで、同図（Ａ）のように係員の操作によってセンタにアクセスして新曲のダウンロード（ｕｐ  ｄａｔｅ）を受ける。
【００３４】
同図（Ａ）は係員の作業手順を示すフローチャートである。まず、モジュラコードをモジュラジャック３６ａにセットすることによりこのカラオケ装置と電話線とを接続する（ｓ１）。そして、装置をメンテナンスモードにする（ｓ２）。このモードはテンキーなどの特定の操作によって入ることができるが、その操作手順は係員のみが知っているものである。メンテナンスモードのメニューから楽曲データのアップデート動作を選択する（ｓ３）。そしてカラオケ装置がアップデート（新曲のダウンロード）の動作を終了するまでそのまま放置し（ｓ４）、作業が終了すると装置の動作を通常モードにもどして（ｓ５）、モジュラコードを取り外して（ｓ６）、作業を終了する（ｓ７）。
【００３５】
同図（Ｂ）はカラオケ装置のアップデート動作を示すフローチャートである。まずセンタに電話を掛ける（ｓ１０）。そしてアップデートを要求し（ｓ１１）、自己のＩＤコードや現在接続して電話線の電話番号などを送信する（ｓ１２）。こののち一旦電話を切る（ｓ１３）。センタはこの端末装置（可搬型カラオケ装置）が正規の端末装置であるか否か、保守契約が結ばれているかなどをファイルを検索して判断し、アップデートがＯＫであればセンタからこのカラオケ装置に対して電話を掛ける。カラオケ装置はセンタから電話があるまで待機している（ｓ１４）。センタから電話があるとこれに応答し（ｓ１５）、自己のＩＤコードを送信する（ｓ１５）。そして最終アップデートの日を送信する（ｓ１７）。センタはこの最終アップデート日の後に登録された楽曲データのこの可搬型カラオケ装置に登録すべきデータを選択し（可搬型カラオケ装置は通常の据置型カラオケ装置に比べて記憶可能な曲数が少ないため、宴会用に選択された曲のみがダウンロードされる。）、その曲をダウンロードする。このデータ（差分更新データ）を受信した（ｓ１８）のち、電話を切る（ｓ１９）。これでアップデートが終了する。
【００３６】
上述したように、この発明は、可搬型カラオケ装置のみならず、ノート型パソコン，ワープロ，液晶テレビなどにも適用可能である。また、この発明は平面ディスプレイに関するものであるが、ヒンジ機構部で回動可能に支持されたものであれば何にでも（鏡など）適用することが可能である。
【００３７】
【発明の効果】
この発明によれば、平面ディスプレイが開きすぎたとき閉じる方向に弾性体の付勢力が働き、平面ディスプレイが閉じかけのとき開く方向に弾性体の付勢力が働くため、この平面ディスプレイを常に適当な開角に支持固定することができる。また、この平面ディスプレイが閉じられた状態から開くときも、この付勢力が開く方向に働くため、平面ディスプレイの重量をキャンセルして開きやすくすることができる。
【図面の簡単な説明】
【図１】この発明の実施形態である可搬型カラオケ装置の正面図
【図２】同可搬型カラオケ装置の右側面図
【図３】同可搬型カラオケ装置の背面図
【図４】同可搬型カラオケ装置の平面図
【図５】同可搬型カラオケ装置のカバーを外した状態の背面図
【図６】同可搬型カラオケ装置のディスプレイを開いた状態の平面図
【図７】同可搬型カラオケ装置に付属するリモコンの平面図
【図８】同可搬型カラオケ装置のディスプレイのヒンジ部の構造を示す図
【図９】同可搬型カラオケ装置のディスプレイを水平方向に回転させる状態を説明する図
【図１０】同可搬型カラオケ装置のマイクホルダの構造図
【図１１】同可搬型カラオケ装置の機器収納部に取り付けられる防振材の構成を説明する図
【図１２】同可搬型カラオケ装置のボディの接合構造を示す図
【図１３】同可搬型カラオケ装置の機器構成を示すブロック図
【図１４】同可搬型カラオケ装置で用いられる楽曲データの構成図
【図１５】同可搬型カラオケ装置で用いられる楽曲データの構成図
【図１６】同可搬型カラオケ装置で用いられる楽曲データの構成図
【図１７】同可搬型カラオケ装置の新曲ダウンロードの手順を示すフローチャート
【符号の説明】
２…装置本体（コントローラ）、３…コントロールアンプ、
３ａ…ミキシング部、３ｂ…インタフェース、
４…メインスピーカ、５…（ＬＣＤ）ディスプレイ、
６…コントロールパネル、
１０…（シェル形）ボディ、１０ａ，１０ｂ…カバー、１１…キャスタ、
１２…把手、１３…フットステップ、１４…ポケット、
１５…マイクホルダ、２０…キースイッチ群、２１…調節ボリューム群、
２２…リモコン収納部、２３…モニタスピーカ、２５…ヒンジ部、
４１…メインアンプ、４２…モニタアンプ、
６０…コイルスプリング、６１…長穴、
６５…ラック、６６…防振材、６６ａ…表面材、６６ｂ…クッション材
７０，７１…（ボディのパーツである）樹脂板
７０ａ，７１ａ…補助樹脂板
【図１】
0003766722.tif 000002
【図２】
0003766722.tif 000003
【図３】
0003766722.tif 000004
【図４】
0003766722.tif 000005
【図５】
0003766722.tif 000006
【図６】
0003766722.tif 000007
【図７】
0003766722.tif 000008
【図８】
0003766722.tif 000009
【図９】
0003766722.tif 000010
【図１０】
0003766722.tif 000011
【図１１】
0003766722.tif 000012
【図１２】
0003766722.tif 000013
【図１３】
0003766722.tif 000014
【図１４】
0003766722.tif 000015
【図１５】
0003766722.tif 000016
【図１６】
0003766722.tif 000017
【図１７】
0003766722.tif 000018